(57)【特許請求の範囲】
【請求項１】
光電変換部、及び前記光電変換部の表面上に形成されている電極を有する複数の太陽電池と、
前記複数の太陽電池を電気的に接続している配線材と、
前記太陽電池と前記配線材とを接着している樹脂接着剤と、
を備え、
前記電極は、前記配線材の延びる方向に対して垂直な方向に延びるフィンガー電極を有し、
前記フィンガー電極の前記配線材と接着されている接着部分のうち、前記フィンガー電極の延びる方向における一方側の端部は、前記配線材に直接接触しており、前記フィンガー電極の延びる方向における他方側の端部は、前記樹脂接着剤を介して前記配線材に接着されており、前記一方側の端部の前記配線材に対する接着強度は、前記他方側の端部の前記配線材に対する接着強度よりも低い、太陽電池モジュール。
【請求項２】
前記フィンガー電極の接着部分の厚みは、前記一方側から前記他方側に向かって減少している、請求項１に記載の太陽電池モジュール。
【請求項３】
前記フィンガー電極の接着部分の幅は、前記一方側から前記他方側に向かって減少している、請求項１または２に記載の太陽電池モジュール。
【請求項４】
前記フィンガー電極が複数設けられており、
前記複数のフィンガー電極の少なくとも一つにおいて、前記接着部分のうち、前記一方側の端部は、前記配線材に直接接触しており、前記他方側の端部は、前記樹脂接着剤を介して前記配線材に接着されており、前記一方側の端部の前記配線材に対する接着強度は、前記他方側の端部の前記配線材に対する接着強度よりも低い、請求項１〜３のいずれか一項に記載の太陽電池モジュール。
【発明の詳細な説明】
【技術分野】
【０００１】
本発明は、太陽電池モジュールに関する。
【背景技術】
【０００２】
近年、環境負荷が小さいエネルギー源として、太陽電池モジュールが大いに注目されている。
【０００３】
一般的に、太陽電池モジュールは、複数の太陽電池を備えている。複数の太陽電池は、配線材によって電気的に直列または並列に接続されている。
【０００４】
従来、太陽電池と配線材との接着には、半田が広く用いられていた。しかしながら、半田を用いて太陽電池と配線材とを接着するためには、半田を融解させる必要がある。このため、接着工程において、太陽電池が高温になる。その結果、太陽電池が損傷したり、変形したりする虞がある。
【０００５】
これに鑑み、近年、太陽電池と配線材との接着に、導電性樹脂接着剤を用いることが検討されている（例えば、特許文献１を参照）。
【０００６】
太陽電池と配線材とを、導電性樹脂接着剤などの樹脂接着剤を用いて接着する場合は、半田により接着する場合とは異なり、接着時の温度を低くすることができる。このため、配線材の接着工程における太陽電池の損傷や変形等を抑制することができる。
【先行技術文献】
【特許文献】
【０００７】
【特許文献１】特開２００９−２９５９４０号公報
【発明の概要】
【発明が解決しようとする課題】
【０００８】
ところで、近年、太陽電池モジュールに求められる、温度変化に対する耐久性の基準が益々高くなってきている。
【０００９】
本発明は、係る点に鑑みてなされたものであり、その目的は、樹脂接着剤を用いて太陽電池と配線材とが接着されている太陽電池モジュールにおいて、温度変化に対する耐久性のさらなる向上を図ることにある。
【課題を解決するための手段】
【００１０】
本発明に係る太陽電池モジュールは、複数の太陽電池と、配線材と、樹脂接着剤とを備えている。複数の太陽電池は、光電変換部及び電極を有する。電極は、光電変換部の表面上に形成されている。配線材は、複数の太陽電池を電気的に接続している。樹脂接着剤は、太陽電池と配線材とを接着している。電極は、フィンガー電極を有する。フィンガー電極は、配線材の延びる方向に対して垂直な方向に延びている。フィンガー電極の配線材と接着されている接着部分のうち、フィンガー電極の延びる方向における一方側の端部の配線材に対する接着強度は、接着部分の他の部分の少なくとも一部の配線材に対する接着強度よりも低い。
【００１１】
本発明では、接着部分のうち、フィンガー電極の延びる方向における一方側の端部は、配線材に直接接触していることが好ましい。
【００１２】
本発明では、接着部分の他の部分の少なくとも一部は、樹脂接着剤により配線材に接着されていることが好ましい。
【００１３】
本発明では、接着部分のうち、フィンガー電極の延びる方向における他方側の端部は、樹脂接着剤により配線材に接着されていることが好ましい。
【００１４】
本発明では、フィンガー電極の接着部分の厚みは、フィンガー電極の延びる方向における一方側から他方側に向かって減少していることが好ましい。
【００１５】
本発明では、フィンガー電極の接着部分の幅は、フィンガー電極の延びる方向における一方側から他方側に向かって減少していることが好ましい。
【００１６】
本発明では、フィンガー電極が複数設けられており、複数のフィンガー電極の少なくとも一つにおいて、接着部分のうち、フィンガー電極の延びる方向における一方側の端部の配線材に対する接着強度は、接着部分の他の部分の少なくとも一部の配線材に対する接着強度よりも低くてもよい。
【発明の効果】
【００１７】
本発明によれば、樹脂接着剤を用いて太陽電池と配線材とが接着されている太陽電池モジュールにおいて、温度変化に対する耐久性のさらなる向上を図ることができる。
【図面の簡単な説明】
【００１８】
【図１】第１の実施形態に係る太陽電池モジュールの略図的断面図である。
【図２】第１の実施形態における太陽電池の受光面側から観た略図的平面図である。
【図３】図２の線ＩＩＩ−ＩＩＩにおける略図的断面図である。
【図４】第２の実施形態における太陽電池の受光面側から観た略図的平面図である。
【図５】図４の線Ｖ−Ｖにおける略図的断面図である。
【図６】第３の実施形態における太陽電池の受光面側から観た略図的平面図である。
【図７】図６の線ＶＩＩ−ＶＩＩにおける略図的断面図である。
【図８】図６の線ＶＩＩＩ−ＶＩＩＩにおける略図的断面図である。
【図９】図６の線ＩＸ−ＩＸにおける略図的断面図である。
【図１０】図６の線Ｘ−Ｘにおける略図的断面図である。
【発明を実施するための形態】
【００１９】
以下、本発明を実施した好ましい形態について、図１に示す太陽電池モジュール１を例に挙げて説明する。但し、太陽電池モジュール１は、単なる例示である。本発明に係る太陽電池モジュールは、太陽電池モジュール１に何ら限定されない。
【００２０】
なお、実施形態や変形例などにおいて参照する各図面において、実質的に同一の機能を有する部材は同一の符号で参照することとする。また、実施形態等において参照する図面は、模式的に記載されたものであり、図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００２１】
（太陽電池モジュール１の概略構成）
図１は、本発明を実施した一実施形態に係る太陽電池モジュールの略図的断面図である。まず、図１を参照しながら、太陽電池モジュール１の概略構成について説明する。
【００２２】
図１に示すように、太陽電池モジュール１は、配列方向ｘに沿って配列された複数の太陽電池１０を備えている。複数の太陽電池１０は、配線材１１によって電気的に接続されている。具体的には、隣接する太陽電池１０間が配線材１１によって電気的に接続されることによって、複数の太陽電池１０が直列または並列に電気的に接続されている。
【００２３】
複数の太陽電池１０の受光面側及び裏面側には、第１及び第２の保護部材１４，１５が配置されている。第１の保護部材１４と第２の保護部材１５との間には、封止材１３が設けられている。複数の太陽電池１０は、この封止材１３により封止されている。
【００２４】
なお、封止材１３並びに第１及び第２の保護部材１４，１５の材料は、特に限定されない。封止材１３は、例えば、エチレン・酢酸ビニル共重合体（ＥＶＡ）やポリビニルブチラール（ＰＶＢ）等の透光性を有する樹脂により形成することができる。
【００２５】
第１及び第２の保護部材１４，１５は、例えば、ガラス、樹脂などにより形成することができる。また、例えば、第１及び第２の保護部材１４，１５のうちの一方を、アルミニウム箔などの金属箔を介在させた樹脂フィルムにより構成してもよい。本実施形態では、第１の保護部材１４は、太陽電池１０の裏面側に配置されており、アルミニウム箔などの金属箔を介在させた樹脂フィルムにより構成されている。第２の保護部材１５は、太陽電池１０の受光面側に配置されており、ガラスまたは透光性樹脂からなる。
【００２６】
（太陽電池１０の構造）
図２は、太陽電池の受光面側から視た略図的平面図である。図３は、図２の線ＩＩＩ−ＩＩＩにおける略図的断面図である。次に、図２及び図３を参照しながら、太陽電池１０の構造について説明する。
【００２７】
なお、ここで説明する太陽電池１０は、単なる一例である。本発明において、太陽電池の種類や構造は何ら限定されない。
【００２８】
また、本実施形態においては、太陽電池１０の一方の主面が受光面であり、他方の主面が裏面であるが、本発明において、太陽電池の両主面が受光面であってもよい。その場合は、上記第１及び第２の保護部材１４，１５のそれぞれが透光性を有することが好ましい。
【００２９】
（光電変換部２０）
図２に示すように、太陽電池１０は、光電変換部２０を有する。光電変換部２０は、受光することによってキャリア（電子及び正孔）を生成するものである。
【００３０】
光電変換部２０は、ＨＩＴ（登録商標）接合、ｐｎ接合、ｐｉｎ接合等の半導体接合を有する半導体材料から構成されている。半導体材料としては、例えば、単結晶シリコン、多結晶シリコンなどの結晶性シリコン半導体、非晶質シリコン半導体、ＧａＡｓ等の化合物半導体などが挙げられる。
【００３１】
（電極２１の概要）
光電変換部２０の受光面２０ａには、電極２１が形成されている。図示は省略するが、同様に、光電変換部２０の裏面にも、電極２１が形成されている。図２に示すように、電極２１は、複数のフィンガー電極２２を備えている。なお、電極２１の詳細な構成については、配線材１１による太陽電池１０の電気的接続態様を説明した後に詳細に説明する。
【００３２】
（配線材１１による太陽電池１０の電気的接続）
図１に示すように、隣接して配置されている太陽電池１０は、配線材１１により電気的に接続されている。具体的には、配線材１１は、細長形状を有する。より具体的には、本実施形態では、配線材１１は、直線状に形成されている。配線材１１は、配列方向ｘに沿って延びるように設けられている。この配線材１１の一方側の部分が、太陽電池１０の受光面２０ａ側の電極２１に電気的に接続されると共に、配線材１１の他方側の部分が、当該太陽電池１０に隣接している太陽電池１０の裏面側の電極２１に電気的に接続されることにより、隣接する太陽電池１０が配線材１１により電気的に接続されている。
【００３３】
配線材１１は、導電性を有するものである限りにおいて特に限定されない。配線材１１は、例えば、配線材本体と、配線材本体を覆う被覆層とにより構成することができる。配線材本体は、例えば、Ｃｕ等の金属材料により形成することができる。被覆層は、例えば、Ａｇなどの金属や、半田などの合金により形成することができる。
【００３４】
図１及び図３に示すように、配線材１１と太陽電池１０とは、樹脂接着剤１２により接着されている。本実施形態では、具体的には、太陽電池１０の電極２１と配線材１１とが直接接触した状態で、太陽電池１０と配線材１１とが樹脂接着剤１２により接着されている。このように、本実施形態では、電極２１と配線材１１とを直接接触させることにより電極２１と配線材１１とを電気的に接続している。このため、樹脂接着剤１２は、導電性を有する樹脂の他、例えば、エポキシ樹脂、アクリル樹脂、ポリイミド樹脂、フェノール樹脂、ウレタン樹脂、シリコーン樹脂、これらの樹脂の混合体や共重合体などの、絶縁性を有する樹脂により形成することができる。
【００３５】
また、樹脂接着剤１２は、光硬化性樹脂や熱硬化性樹脂などの硬化性樹脂であることが好ましい。樹脂接着剤１２が熱硬化性樹脂である場合は、樹脂接着剤１２の硬化温度は、２００℃以下であることが好ましい。
【００３６】
なお、本発明において、樹脂接着剤が導電性を有する場合、樹脂接着剤は、例えば、絶縁性樹脂中に導電性粒子が分散した異方性導電性樹脂接着剤であってもよい。その場合は、電極と配線材とが直接接触している必要は必ずしもない。電極と配線材とは導電性粒子を介して電気的に接続していてもよい。
【００３７】
樹脂接着剤として、異方性導電性樹脂接着剤を用いることにより、樹脂接着剤の硬化時における収縮率を小さくできる。従って、樹脂接着剤の残留応力を小さくすることができる。
【００３８】
なお、樹脂接着剤が異方性導電性樹脂接着剤である場合は、絶縁性樹脂としては、例えば、エポキシ樹脂、アクリル樹脂、ポリイミド樹脂、フェノール樹脂、ウレタン樹脂、シリコーン樹脂、これらの樹脂の混合体や共重合体などを用いることができる。導電性粒子は、例えば、ニッケル、銅、銀、アルミニウム、スズ、金などの金属や、これらの金属のうちの一種以上を含む合金からなる粒子、もしくは、金属コーティングまたは合金コーティングなどの導電性コーティングが施された絶縁性粒子により構成することができる。
【００３９】
（電極２１の詳細）
図２に示すように、複数のフィンガー電極２２のそれぞれは、配線材１１の延びる方向である配列方向ｘに垂直な方向ｙに相互に平行に延びている。複数のフィンガー電極２２は、配列方向ｘに沿って相互に平行に配列されている。なお、本発明において、「垂直」には、実質的に垂直であることが含まれるものとする。具体的には、本発明において、９０°±５°の範囲内である場合は、「垂直」に含まれるものとする。
【００４０】
図３に示すように、フィンガー電極２２の配線材１１と接着されている接着部分２２ａの厚みは、フィンガー電極２２の延びる方向である方向ｙのｙ１側からｙ２側に向かって減少している。詳細には、フィンガー電極２２の配線材１１と接着されている接着部分２２ａの厚みは、ｙ１側からｙ２側に向かって実質的に単調に漸減している。このため、本実施形態では、フィンガー電極２２の接着部分２２ａのうち、ｙ１側の端部は、配線材１１に直接接触している。一方、接着部分２２ａのうち、ｙ２側の端部と配線材１１との間には、樹脂接着剤１２が介在している。接着部分２２ａのうち、ｙ２側の端部は、樹脂接着剤１２により配線材１１に接着されている。従って、本実施形態では、接着部分２２ａのうち、方向ｙのｙ１側の端部の配線材１１に対する接着強度は、接着部分２２ａの他の部分の少なくとも一部の配線材１１に対する接着強度よりも低い。具体的には、接着部分２２ａのうち、方向ｙのｙ１側の端部の配線材１１に対する接着強度は、接着部分２２ａのうちｙ２側の端部の配線材１１に対する接着強度よりも低い。
【００４１】
なお、フィンガー電極２２の接着部分２２ａのｙ１側端部の最大厚みｔ１は、接着部分２２ａのｙ２側端部の最小厚みｔ２より大きく、２．５倍以下であることが好ましく、１．１倍以上２．０倍以下であることがより好ましい。
【００４２】
また、図２に示すように、本実施形態では、フィンガー電極２２の接着部分２２ａの幅は、方向ｙ２におけるｙ１側からｙ２側に向かって減少している。具体的には、フィンガー電極２２の接着部分２２ａの幅は、方向ｙ２におけるｙ１側からｙ２側に向かって実質的に単調減少している。接着部分２２ａのｙ１側端部における最大幅は、接着部分２２ａのｙ２側端部における最小幅より大きく、２．５倍以下であることが好ましく、１．１倍以上２．０倍以下であることがより好ましい。
【００４３】
（太陽電池モジュール１の製造方法）
次に、太陽電池モジュール１の製造方法について詳細に説明する。
【００４４】
まず、光電変換部２０を用意する。なお、光電変換部２０は、公知の方法により作成することができる。
【００４５】
次に、光電変換部２０の受光面２０ａ及び裏面のそれぞれの上に、電極２１を形成することにより、太陽電池１０を完成させる。電極２１の形成方法は特に限定されない。電極２１は、例えば、導電性ペーストをスクリーン印刷法により印刷することにより形成することができる。なお、幅及び厚みの変化する接着部分２２ａは、ｙ１側に向かって幅広となる開口を有するスクリーン版を用いたり、複数回に分けて印刷することで形成することができる。
【００４６】
次に、上記のように作製した複数の太陽電池１０を、配線材１１を用いて電気的に接続する。具体的には、太陽電池１０の上に樹脂接着剤１２を介在させて配線材１１を配置し、配線材１１を太陽電池１０側に相対的にプレスすることにより配線材１１と太陽電池１０とを接着させる。この太陽電池１０と配線材１１との接着を繰り返し行うことにより、複数の太陽電池１０を電気的に接続する。
【００４７】
次に、図１に示す封止材１３並びに第１及び第２の保護部材１４，１５を準備する。例えば、第２の保護部材１５の上に、ＥＶＡシートなどの樹脂シートを載置する。樹脂シートの上に、配線材１１により電気的に接続された複数の太陽電池１０を配置する。その上に、ＥＶＡシートなどの樹脂シートを載置し、さらにその上に、第１の保護部材１４を載置する。これらを、減圧雰囲気中において、加熱圧着することにより仮圧着した後に、再度加熱することにより、樹脂シート中の樹脂を架橋させることにより封止材１３を形成する。以上の工程により、太陽電池モジュール１を製造することができる。
【００４８】
なお、必要に応じて、端子ボックスや金属フレームなどの取り付けを行ってもよい。
【００４９】
ところで、太陽電池１０の光電変換部２０と配線材１１とでは、熱膨張率が異なる。このため、太陽電池モジュール１に温度変化が生じると、配線材１１が光電変換部２０に対して相対的に伸縮することとなる。通常は、配線材１１の方が光電変換部２０よりも熱膨張率が大きい。よって、太陽電池モジュール１の温度が上昇すると、配線材１１が光電変換部２０に対して相対的に伸長する一方、太陽電池モジュール１の温度が低下すると、配線材１１が光電変換部２０に対して相対的に収縮する。従って、太陽電池モジュール１に温度変化が生じると、配線材１１と光電変換部２０との間に応力が発生する。
【００５０】
ここで、例えば、フィンガー電極の配線材に対する接着部分が平坦であるような場合は、フィンガー電極と配線材とを電気的に接続するために、接着部分の全体を配線材と接触させる必要がある。このため、この場合は、フィンガー電極の側壁と配線材とが樹脂接着剤により接着されているのみであり、フィンガー電極の頂面と配線材とは実質的に接着されていない。よって、フィンガー電極と配線材との接着強度が低い。配線材とフィンガー電極との接着に異方性導電性樹脂接着剤を用いた場合も同様に、配線材とフィンガー電極の頂面との間に十分な樹脂が存在しないため、フィンガー電極と配線材との接着強度が低い。従って、太陽電池モジュールに温度変化が生じ、配線材と光電変換部との間に応力が加わった場合に、配線材が剥離しやすい。
【００５１】
それに対して、本実施形態では、接着部分２２ａの方向ｙにおけるｙ１側の部分と配線材１１とが直接接触することにより導通が図られている一方、接着部分２２ａの方向ｙにおけるｙ２側部分は、樹脂接着剤１２により配線材１１に接着されている。このため、本実施形態では、配線材１１とフィンガー電極２２との接着強度が高い。
【００５２】
さらに、接着部分２２ａのｙ１側端部と配線材１１との接着強度が低いため、配線材１１に大きな応力が加わった場合にも、その接着強度が弱い、接着部分２２ａのｙ１側端部と配線材１１とが剥離することによって、配線材１１に加わっていた応力が開放される。その結果、配線材１１が完全に剥離してしまうことを効果的に抑制することができる。従って、本実施形態の太陽電池モジュール１は、温度変化に対する高い耐久性を有している。
【００５３】
また、本実施形態では、配線材１１と電気的に接続されている接着部分２２ａのｙ１側端部の幅がｙ２側端部よりも広い。従って、配線材１１とフィンガー電極２２との間の接続抵抗を低くすることができ、太陽電池モジュール１の出力を高めることができる。
【００５４】
また、接着部分２２ａのｙ２側端部の幅が狭いため、接着部分２２ａのｙ２側端部と配線材１１との間により多くの樹脂接着剤１２が介在する。従って、配線材１１とフィンガー電極２２との接着強度をより高めることができる。
【００５５】
以下、本発明を実施した好ましい形態の他の例について説明する。以下の説明において、上記第１の実施形態と実質的に共通の機能を有する部材を共通の符号で参照し、説明を省略する。
【００５６】
（第２の実施形態）
図４は、第２の実施形態における太陽電池の受光面側から観た略図的平面図である。図５は、図４の線Ｖ−Ｖにおける略図的断面図である。
【００５７】
上記第１の実施形態では、全てのフィンガー電極２２の接着部分２２ａのｙ１側端部の厚みがｙ２側端部の厚みよりも大きい場合について説明した。但し、本発明はこの構成に限定されない。
【００５８】
例えば、図４に示すように、接着部分２２ａの厚みが厚い部分がフィンガー電極２２毎に異なっていてもよい。本実施形態では、具体的には、図４及び図５に示すように、接着部分２２ａの厚みが厚く、幅広である部分がｙ１側に位置しているフィンガー電極２２と、接着部分２２ａの厚みが厚く、幅広である部分がｙ２側に位置しているフィンガー電極２２とが、配列方向ｘに沿って交互に配置されている。この場合であっても、上記第１の実施形態と実質的に同様の効果が奏される。
【００５９】
（第３の実施形態）
図６は、第３の実施形態における太陽電池の受光面側から観た略図的平面図である。図７は、図６の線ＶＩＩ−ＶＩＩにおける略図的断面図である。図８は、図６の線ＶＩＩＩ−ＶＩＩＩにおける略図的断面図である。図９は、図６の線ＩＸ−ＩＸにおける略図的断面図である。図１０は、図６の線Ｘ−Ｘにおける略図的断面図である。
【００６０】
上記第１及び第２の実施形態では、電極２１が複数のフィンガー電極２２により構成されている例について説明した。但し、本発明は、この構成に限定されない。例えば、図６に示すように、電極２１は、複数のフィンガー電極２２とバスバー２３とを有していてもよい。その場合において、フィンガー電極２２の最も厚くなる部分が、バスバー２３と交差する部分となるようにしてもよい。
【００６１】
また、本実施形態では、図６〜図１０に示すように、フィンガー電極２２のうち、バスバー２３のｙ方向両側部分で、厚みが変化している。具体的には、フィンガー電極２２のバスバー２３との交差部が最も厚くなり、バスバー２３から離れるに従って薄くなっている。このため、複数のフィンガー電極２２の一部において、接着部分２２ａのうち、方向ｙにおけるｙ１側の端部の配線材１１に対する接着強度が、接着部分２２ａの他の部分の少なくとも一部の配線材１１に対する接着強度よりも低い。
【００６２】
本発明においては、フィンガー電極２２が複数設けられている場合において、上記第１及び第２の実施形態のように、複数のフィンガー電極２２の全てにおいて、接着部分２２ａのうち、方向ｙにおけるｙ１側の端部の配線材１１に対する接着強度が、接着部分２２ａの他の部分の少なくとも一部の配線材１１に対する接着強度よりも低い必要は必ずしもない。本実施形態のように、複数のフィンガー電極２２の少なくとも一つにおいて、接着部分２２ａのうち、方向ｙにおけるｙ１側の端部の配線材１１に対する接着強度が、接着部分２２ａの他の部分の少なくとも一部の配線材１１に対する接着強度よりも低ければよい。その場合であっても、接着部分２２ａに接着強度の低い部分が形成されるため、上記第１の実施形態で説明した応力開放効果が得られる。
【００６３】
以下、本発明について、具体的な実施例に基づいて、さらに詳細に説明するが、本発明は以下の実施例に何ら限定されるものではなく、その要旨を変更しない範囲において適宜変更して実施することが可能である。
【００６４】
（実施例１）
実施例１では、上記第３の実施形態に係る太陽電池モジュールと同様の構成を有する太陽電池モジュールを下記の要領で作製した。
【００６５】
まず、光電変換部の受光面上に、エポキシ系熱硬化型銀ペーストをスクリーン印刷によって銀ペーストを印刷し、１５０℃で５間加熱し仮硬化させることにより、受光面側の電極を形成した。次に、光電変換部の裏面の上に、エポキシ系熱硬化型銀ペーストをスクリーン印刷によって銀ペーストを印刷し、２００℃で１時間加熱し仮硬化させることにより、裏面側の電極を形成した。
【００６６】
受光面においては、電極の幅は、約１００μｍとし、電極のピッチは、２ｍｍとした。裏面においては、電極の幅は、約１００μｍとし、電極のピッチは、１ｍｍとした。接着部分２２ａのｙ１側の最大厚さは、約５０μｍとし、ｙ２側の最小厚さは、約３０μｍとした。接着部分２２ａのｙ１側の最大幅は、約１５０μｍとし、ｙ２側の最小幅は、約９０μｍとした。
【００６７】
次に、ディスペンサーを用い、ニッケル粒子を約５体積％含んだエポキシ樹脂（樹脂接着剤）を配線材を貼り付ける部分に約３０μｍの厚みになるように塗布した。次に、配線材を塗布された樹脂接着剤の上に配置し、接着部分のみを約２ＭＰａで加圧しながら２００℃で約一時間加熱することにより、樹脂接着剤を硬化させた。最後に、第１及び第２の保護部材１４，１５並びに封止材１３を設けることにより、実施例１に係る太陽電池モジュールを作製した。
【００６８】
（比較例１）
フィンガー電極２２を略均一厚みかつ略均一幅としたこと以外は、上記実施例１と同様にして太陽電池モジュールを作製した。
【００６９】
次に、実施例１及び比較例１のそれぞれにおいて作製した太陽電池モジュール各１０００枚を、サイクル数を規定の３倍としたこと以外は、ＪＩＳ  Ｃ８９１７に規定の方法と同様の方法で温度サイクル試験を行った。同様に、サイクル数を規定の３倍としたこと以外は、ＪＩＳ  ８９１７に規定の方法と同様の方法で耐湿試験を行った。結果を下記の表１に示す。
【００７０】
【表１】
0005479222.tif 000002
【００７１】
上記表１に示すように、フィンガー電極２２に厚み偏差を設けた実施例では、厚み偏差を設けなかった比較例よりも高い耐熱性及び高い耐湿性が得られた。
【符号の説明】
【００７２】
１…太陽電池モジュール
１０…太陽電池
１１…配線材
１２…樹脂接着剤
１３…封止材
１４…第１の保護部材
１５…第２の保護部材
２０…光電変換部
２０ａ…光電変換部の受光面
２１…電極
２２…フィンガー電極
２２ａ…フィンガー電極の接着部分
２３…バスバー
【図１】
0005479222.tif 000003
【図２】
0005479222.tif 000004
【図３】
0005479222.tif 000005
【図４】
0005479222.tif 000006
【図５】
0005479222.tif 000007
【図６】
0005479222.tif 000008
【図７】
0005479222.tif 000009
【図８】
0005479222.tif 000010
【図９】
0005479222.tif 000011
【図１０】
0005479222.tif 000012